(57)【要約】  セルラー通信ネットワークにおいて、サービングセルを変更する方法が提供される。無線通信リンクは、サービングセルのサービングネットワークノードと移動端末との間で確立される。端末は、サービングセル以外のセルのための測定報告を送信する。予め定められた条件が満足すると、新サービングセルのための候補となる１つ以上のセルのための無線通信リンクを確立するための事前設定（pre-configuration）が遂行される。
2009512267.tif 000002
【特許請求の範囲】
【請求項１】
パケットデータサービスを支援する移動通信システムにおける前記パケットデータサービスをスケジューリングするためのセルを設定して変更する方法であって、
サービング無線網制御器（ＵＴＲＡＮ）が端末（ＵＥ）から測定報告を受信するステップと、
前記サービング無線網制御器が、前記測定報告に応じて、前記パケットデータサービスのための情報を事前設定するようにターゲットセルを制御するステップと、
前記サービング無線網制御器が、前記測定報告に応じて、追加されるセルに対する無線リンクを設定し、前記パケットデータサービスのための情報を事前設定するように前記端末を制御するステップと、
前記事前設定の後に、前記サービング無線網制御器が前記端末からベストセル変更に関する測定報告を受信するステップと、
前記サービング無線網制御器が前記ベストセル変更に関する測定報告に応じて、前記端末のためのパケットデータサービスのスケジューリングを遂行するように前記ターゲットセルを制御するステップと、を含み、
前記事前設定するようにターゲットセルを制御するステップは、予め定められたレベルを超過する信号強度を有するセルのために事前設定するように制御することを特徴とする方法。
【請求項２】
前記測定報告は、アクティブセットを追加するか、または削除するように要請することを特徴とする請求項１に記載の方法。
【請求項３】
前記サービング無線網制御器が、候補セットに属するセルと端末のサービングセルとを除いたアクティブセットに属する全てのセルに前記測定報告を送信するように前記端末を制御することを特徴とする請求項２に記載の方法。
【請求項４】
前記サービング無線網制御器が、候補セットに属する全てのセルに前記測定報告を送信するように前記端末を制御することを特徴とする請求項２に記載の方法。
【請求項５】
前記サービング無線網制御器が、アクノリッジモードで前記測定報告を送信するように前記端末を制御することを特徴とする請求項３に記載の方法。
【請求項６】
前記サービング無線網制御器が、１つの測定報告を送信するように前記端末を制御することを特徴とする請求項３に記載の方法。
【請求項７】
前記サービング無線網制御器が、前記測定報告を非周期的に送信するように前記端末を制御することを特徴とする請求項３に記載の方法。
【請求項８】
パケットデータサービスを支援する移動通信システムにおける前記パケットデータサービスをスケジューリングするためのセルを設定して変更する方法であって、
端末（ＵＥ）が測定報告をサービング無線網制御器（ＵＴＲＡＮ）に送信するステップと、
前記端末が、前記サービング無線網制御器の制御下で、アクティブセットを更新し、前記パケットデータサービスのための情報を事前設定するステップと、
前記事前設定の後に、前記端末が前記サービング無線網制御器にベストセル変更に関する情報を送信し、ターゲットセルからの前記パケットデータサービスのためのスケジューリング情報をモニタリングするステップと、
前記サービング無線網制御器の制御により、前記ターゲットセルが前記パケットデータサービスに対するスケジューリングを遂行すると、前記端末が前記パケットデータサービスを前記ターゲットセルから受信するステップと、を含み、
前記端末は、前記サービング無線網制御器の制御下で、予め定められたレベルを超過するセルのみに前記測定報告を送信することを特徴とする方法。
【請求項９】
前記測定報告は、アクティブセットを追加するか、または削除するように要請することを特徴とする請求項８に記載の方法。
【請求項１０】
前記端末が前記測定報告を送信するステップは、前記サービング無線網制御器の制御下で、候補セットに属するセルと端末のサービングセルとを除いたアクティブセットに属する全てのセルに前記測定報告を送信することを特徴とする請求項９に記載の方法。
【請求項１１】
前記端末が前記測定報告を送信するステップは、前記サービング無線網制御器の制御下で、端末の候補セットに属する全てのセルに前記測定報告を送信することを特徴とする請求項９に記載の方法。
【請求項１２】
前記端末が前記測定報告を送信するステップは、前記サービング無線網制御器の制御下で、アクノリッジモードで前記測定報告を送信することを特徴とする請求項１０に記載の方法。
【請求項１３】
前記端末が前記測定報告を送信するステップは、前記サービング無線網制御器の制御下で、１つの測定報告を送信することを特徴とする請求項１０に記載の方法。
【請求項１４】
前記端末が前記測定報告を送信するステップは、前記サービング無線網制御器の制御下で、前記測定報告を非周期的に送信することを特徴とする請求項１０に記載の方法。
【請求項１５】
パケットデータサービスを支援する移動通信システムにおける前記パケットデータサービスをスケジューリングするためのセルを設定して変更する方法であって、
端末がアクティブセットに追加されるセルに関する情報をサービング無線網制御器に送信するステップと、
前記端末が、前記サービング無線網制御器の制御下で、前記アクティブセットを更新し、前記パケットデータサービスのための情報を事前設定するステップと、
前記事前設定の後に、前記端末が前記サービング無線網制御器にベストセル変更に関する情報を送信し、初期制御チャネル設定メッセージを用いてターゲットセルからの前記パケットデータサービスのためのスケジューリング情報をモニタリングするステップと、
前記初期制御チャネルを介して前記サービング無線網制御器からハンドオーバー命令を受信し、制御チャネル設定完了メッセージを用いて前記ターゲットセルにハンドオーバーするステップと、
前記ハンドオーバーの後に、前記パケットデータサービスを前記ターゲットセルから受信するステップと、
を含むことを特徴とする方法。
【請求項１６】
前記ターゲットセルは、Ｌ２制御を介してアクノリッジメントメッセージを受信した後に、前記パケットデータサービスを前記端末に送信することを特徴とする請求項１５に記載の方法。
【請求項１７】
前記アクノリッジメントメッセージは、ｋディファレント（different）自動反復要求（ＡＲＱ）プロセス送信のためのものであることを特徴とする請求項１６に記載の方法。
【請求項１８】
前記ｋは、２と４との間の範囲に属する値であることを特徴とする請求項１７に記載の方法。
【請求項１９】
パケットデータサービスを支援する移動通信システムにおける前記パケットデータサービスをスケジューリングするためのセルを設定して変更する方法であって、
基地局が、サービング無線網制御器の制御下で、前記パケットデータサービスのためのリソースの事前割当をするステップと、
前記基地局が、前記サービング無線網制御器から前記パケットデータサービスのためのデータを受信し、初期制御チャネル設定メッセージを用いて端末をスケジューリングするステップと、
前記基地局が、前記端末がターゲットセルにハンドオーバーした後に、制御チャネル設定完了メッセージを介して前記端末をスケジューリングするステップと、
を含むことを特徴とする方法。
【請求項２０】
前記ターゲットセルは、Ｌ２制御を介してアクノリッジメントメッセージを受信した後に、前記パケットデータサービスを前記端末に送信することを特徴とする請求項１９に記載の方法。
【請求項２１】
前記アクノリッジメントメッセージは、ｋディファレント（different）自動反復要求（ＡＲＱ）プロセス送信のためのものであることを特徴とする請求項２０に記載の方法。
【請求項２２】
前記ｋは、２と４との間の範囲に属する値であることを特徴とする請求項２１に記載の方法。
【発明の詳細な説明】
【技術分野】
【０００１】
本発明は、移動通信でのセル変更手続きに関し、特に、高速ダウンリンク共用チャネルのセル変更方法及び装置に関する。
【背景技術】
【０００２】
ＵＭＴＳ（Universal Mobile Telecommunications System）のための、図１Ａ及び図１Ｂに示すようなセルラー無線システムの典型的なアーキテクチャは、複数の移動端末（mobile user equipment：以下、“ＵＥ”と称する。）と、無線アクセスネットワーク（radio access network：以下、“ＲＡＮ”と称する。）と、１つまたはそれ以上のコアネットワーク（core network：以下、“ＣＮ”と称する。）と、を含む。ＵＭＴＳは、広帯域符号分割多重接続（wideband code division multiple access：Ｗ-ＣＤＭＡ）技術を使用する第３世代無線ネットワークに基づく。
【０００３】
無線アクセスネットワークの典型的なアーキテクチャは、基地局と無線網制御器（radio network controller：以下、“ＲＮＣ”と称する。）／基地局制御器（base station controller：以下、“ＢＳＣ”と称する。）（ＲＮＣ／ＢＳＣ）とを含む。基地局は、無線インターフェースを介した実質的な通信を操縦し、セルとも呼ばれる特定の地理的な領域をカバーする。ＲＮＣは、ＲＮＣに接続された基地局の制御に加えて、無線リソースの割当て及び地域的な移動性管理のような機能も含む。ＲＮＣは、Ｉｕインターフェースを介して１つ又はそれ以上のコアネットワークに接続する。また、ＲＮＣは、Ｉｕｂインターフェースを介してＵＭＴＳ ＵＴＲＡＮ（Terrestrial Radio Access Network）を使用する環境のためのノードＢ（Node B）のような複数の基地局に接続し、Ｉｕｒインターフェースを介して１つ又はそれ以上の他のＲＮＣに接続することができる。
【０００４】
高速ダウンリンクパケット接続（High-Speed Downlink Packet Access：以下、“ＨＳ-ＤＰＡ”と称する。）は、３ＧＰＰリリーズ（Release）５（Ｒｅｌ-５）で、ＵＭＴＳに追加されたダウンリンク共用チャネルである。専用リソースを使用する代わりに、リソースがＵＥ間で共用され、単一の通信のために、特定のリソースが要求される場合には、特定のＵＥに割り当てられる。
【０００５】
ＵＭＴＳのＲｅｌ-５において、ＨＳ-ＤＰＡチャネルは、ダウンリンクでのより高いスループット（throughput）を容易にするように導入される。ＨＳ-ＤＰＡチャネルは、ただ、セル内の異なるＵＥ間で共有されるチャネルを使用する特定のＵＥのために使用される専用チャネルとは異なる。
【０００６】
専用チャネルを使用する際に、ダウンリンク情報は、１つ以上のセルを介して送信される。例えば、ＵＥは、異なるセルから受信された情報を集める。このような水平的な受信は、ＵＥが無線接続（無線リンクとも呼ばれる。）の品質がもっとも低いセルのエッジにある際にもっとも密接な関連がある。セルのエッジに移動する際に、ネットワークは、全体的な品質を保持するために、隣接セルに無線接続を確立する。このような技術は、現在のセルへの接続を解除する前に、上記隣接セルへの接続が確立されるので、ソフトハンドオーバーを可能にする。かかる技術は、‘接続後のチャネル断絶（make before break）’とも呼ばれる。ＵＥが無線接続を保持するセルのセット（set）は、“アクティブセット（active set）”と呼ばれる。
【０００７】
共用チャネルと関連したＨＳ-ＤＰＡが使用される際に、上記ダウンリンク情報は、１つのセルのみを介して送信される。上記ダウンリンク情報は、サービング高速ダウンリンク共用チャネル（High Speed Downlink Shared Channel：以下、“ＨＳ-ＤＳＣＨ”と称する。）セルを介して送信される。ＵＥが他のセルに移動する際に、一般的な（original）ＨＳ-ＤＳＣＨサービングセル変更手続きが遂行される。ノードＢの変更を含む一般的なＨＳ-ＤＳＣＨサービングセル変更手続きを図２に示す。
【０００８】
このような手順は、新たな無線リンクの品質が良好であることを示すＵＥからの測定報告（measurement report）とともに開始される（イベント１Ａ）。その後、ＵＴＲＡＮは、新たな無線接続を設定するようにターゲットセルを管理するターゲットノードＢを指示する。その次に、ＵＥは、アクティブセットに無線リンクを追加することを示す通知を受ける。
【０００９】
上記新たな無線リンクが最適のセル（best cell）となると、ＵＥは、他の測定報告を送信する（イベント１Ｄ）。このような報告を受信すると、ＵＴＲＡＮは、ターゲットノードＢにＨＳ-ＤＰＡ設定（configuration）を確立することを指示する。その次に、ＵＥは、無線ベアラ再設定（reconfiguration）手続きにより、ＨＳ-ＤＳＣＨサービングセル変更が完了したという通知を受ける。
【００１０】
上記一般的なＨＳ-ＤＳＣＨサービングセル変更手続きは、全体的なスループットを減少させる顕著な遅延を伴うものと見られる。信号無線ベアラ（ＲＢＮｓ）がＨＳ-ＤＰＡを介して転送されると、現在の手続きは、受け入れ難い通話中切断率（call drop rate）を引き起こすこともある。これは、ＵＥにＨＳ-ＤＳＣＨサービングセル変更を遂行するように指示するメッセージが旧（old）ＨＳ-ＤＳＣＨサービングセルを介して伝達されるためである。無線状態が速く変化すると（例えば、迅速に移動しているＵＥ）、通話中切断を引き起こすメッセージを成功裡に伝達することができないという問題点があった。
【発明の開示】
【発明が解決しようとする課題】
【００１１】
上述のような背景に鑑みてなされたものであり、本発明の目的は、ＵＴＲＡＮで追加的な測定イベント（measurement event）及び変更されたリソース割当手続きのためのシステム及び方法を提供することにある。
【課題を解決するための手段】
【００１２】
ＨＳ-ＳＣＣＨ（High Speed Shared Control Channel）コード、ＨＡＲＱ（Hybrid Automatic request）メモリ、及び割り当てられた初期容量に関連した電力が、ＵＴＲＡＮが事前設定された（pre-configured）候補ＨＳセルのために割り当てるリソースのうちの主に不足なリソースである。
【００１３】
本発明の代表的な実施形態によれば、追加的なリソース割当てを減少させるための２種類の方法が存在する。１番目の方法は、追加的な測定イベントを導入するものであり、２番目の方法は、変更されたリソース割当手続きを導入するものである。
【００１４】
２種類の方案は、相互に独立するので、それぞれのオプションは、それ自体に使用されることができる。しかしながら、追加的な測定イベント及び変更されたリソース割当手続きは、相互に結合されて使用されてもよい。
【００１５】
さらに、ノードＢは、ＵＥがＨＳ-ＤＳＣＨサービングセル変更を完了したことを認識することができる。このような手続きは、候補セットのセルのための制限された“初期制御チャネル設定（initial control channel configuration）”の使用を容易にすることにより、ＵＥの複雑性を制限する。
【発明を実施するための最良の形態】
【００１６】
本発明の詳細な説明及び構成要素のように、本発明の詳細な説明で定義される特徴は、本発明の実施形態の包括的な理解を助けるために提供される。したがって、本発明の範囲及び精神を逸脱することなく、ここに説明された実施形態の様々な変更及び変形が可能であるということは、当該技術分野における通常の知識を有する者には明らかである。また、明瞭性と簡潔性の観点から、本発明に関連した公知の機能や構成に関する具体的な説明が本発明の要旨を不明瞭にすると判断される場合には、その詳細な説明を省略する。
【００１７】
本発明は、ＥＶ-ＤＶ（Evolution Data & Voice）、ＬＴＥ（Long Term Evolution）、ＷＣＤＭＡ（Wideband Code Division Multiple Access）、ＨＳＤＰＡ（High Speed Downlink Packet Access）のようなパケットデータ送信システムに基づく。本明細書では、ＷＣＤＭＡ ＨＳＤＰＡを参照して本発明の代表的な実施形態を説明する。また、本発明において、ＲＮＣ及びノードＢは、論理的な客体を意味し、これらは、１つの物理的な客体または複数の区分された物理的な客体で構成されることができる。
【００１８】
ＨＳ-ＤＳＣＨセル変更手続きの遂行を改善するための手続きが提案される。このような手続きを‘拡張された（Enhanced）ＨＳＤＰＡ再指示（re-pointing）手続き’と呼ぶ。図３は、ノードＢの変更を含む拡張されたＨＳ-ＤＳＣＨサービングセル変更手続きを概略的に示す。
【００１９】
拡張されたＨＳＤＰＡ再指示手続きと一般的なＨＳ-ＤＳＣＨサービングセル変更手続きとは、次のような主な差異点がある。
【００２０】
セルがアクティブセットに追加される度に、ＲＮＣは、ＨＳＤＰＡ関連情報を事前設定することにより、関連セルへのＨＳ-ＤＳＣＨセル変更のために、ＵＥ及びノードＢを準備させることを決定する。
【００２１】
ＵＥが事前設定されたセルのうちの１つがベストセル（best cell）となったことを感知すると、現在のサービングＨＳ-ＤＳＣＨセルのための基本的なＨＳＤＰＡ動作を遂行しつつ（予め定められた時間の間に待機した後に）、関連セルのＨＳ-ＳＣＣＨチャネルのモニタリングを開始する。
【００２２】
ＨＳＤＰＡにおいて、ＨＳ-ＳＣＣＨチャネルは、ＨＳ-ＤＳＣＨチャネルを介して転送されるデータのスケジューリングに関する情報をシグナリングするために、ノードＢにより使用される。
【００２３】
ＲＮＣがＨＳ-ＤＳＣＨセル変更を遂行することを決定すると、関連ターゲットセルのＨＳ-ＳＣＣＨのうちの１つを介してＵＥにこのような事実を通知する。ＨＳ事前設定された（ＨＳ候補（candidate））セルを介してスケジューリングされたデータが感知されると、ＵＥは、スイッチングする。例えば、関連セルがサービングＨＳ-ＤＳＣＨセルとなる。
【００２４】
新たなセルにスイッチングする前のようにＨＳ-ＳＣＣＨを通知する前に、ＲＮＣは、現在のセルにＨＳ送信を中断することを指示する。ソースノードは、まだ残っている（outstanding）データと関連した状態情報を提供する。その代りに、ＲＮＣは、インタラプトタイムを減少させるために、現在のセルでのＨＳ送信の中断を保留することができる。しかしながら、これは、不必要な再送信を引き起こすことができる。
【００２５】
拡張されたＨＳ-ＤＰＡ再指示手続きは、無線リンク（Radio Link：ＲＬ）再設定手続きの変形されたバージョンを適用する。ここで、ＨＳ-ＤＰＡ設定は、プリペア／レディーフェーズ（prepare/ready phase）の間にあらかじめローディングされ、設定の実質的な使用は、遅延された命令（commit）によりトリガーされる（またはまったく起こらない。）。
【００２６】
図４Ａは、ＵＥの機能と関連したＨＳ-ＤＰＡのアーキテクチャを示す。ＵＥは、信号受信器と、信号送信器と、メモリとを含む。信号受信器３００は、セルの信号強度を測定するユニットを含む。また、このユニットは、測定報告を開始するための条件がＲＲＣメッセージの受信を管理する部分と、ＵＭＴＳにおいて、高速共用制御チャネル（High Speed Shared Control Channel：ＨＳ-ＳＣＣＨ）のようなＨＳ-ＤＰＡ制御情報を受信する部分と、ＵＭＴＳにおいて、高速ダウンリンク共用チャネル（High Speed Downlink Shared Channel：以下、“ＨＳ-ＤＳＣＨ”と称する。）のようなＨＳ-ＤＰＡデータ情報を受信する部分とを通過したか否かを確認する。
【００２７】
信号送信器３１０は、主に、ＲＲＣメッセージの送信を管理する。例えば、信号送信器３１０は、主に、測定報告またはＵＴＲＡＮ命令の成功的な完了を確認する。メモリ３２０は、各アクティブセットのセルのための設定情報を含む。より詳細に、メモリ３２０は、ＨＳ-ＤＳＣＨサービングセルのためのＨＳ-ＤＰＡ設定情報を含む。
【００２８】
図４Ｂは、信号受信器と、信号送信器と、メモリと、スケジューラと、を含むノードＢの動作と関連したＨＳ-ＤＰＡのアーキテクチャを示す。また、同図は、ＵｕインターフェースとＩｕインターフェースとを示す。信号受信器４２０は、ノードＢアプリケーションパート（Node B Application Part：以下、“ＮＢＡＰ”と称する。）メッセージの受信を管理する部分と、ＩｕインターフェースからＨＳデータを受信するユニットと、Ｕｕインターフェース及びＩｕインターフェースを介して他の制御情報及びデータ情報を受信するユニットと、を含む。
【００２９】
信号送信器４３０は、ＮＢＡＰの送信を管理する部分と、ＵＭＴＳにおけるＨＳ-ＳＣＣＨのようなＨＳ-ＤＰＡ制御情報の送信を管理する部分のためのメッセージと、を含む。また、信号送信器４３０は、ＵＭＴＳにおけるＨＳ-ＤＳＣＨのようなＨＳ-ＤＰＡデータ情報の送信を管理する部分を含む。さらに、信号送信器４３０は、Ｕｕインターフェース及びＩｕインターフェースへの他の制御情報及びデータ情報の送信を管理する部分を含む。
【００３０】
ＨＳＤＰＡスケジューラ４５０は、ＨＳ-ＤＰＡ制御情報を送信することにより、ノードＢの送信器及びＵＥと通信するＨＳ-ＤＰＡデータの実質的なスケジューリングを確認する。
【００３１】
図４Ｃは、信号受信器５１０と、信号送信器５２０と、メモリ５３０とを含む（Ｓ）ＲＮＣの機能と関連したＨＳ-ＤＰＡのアーキテクチャを示す。信号受信器５１０は、ＮＢＡＰメッセージの受信を管理する部分と、ＲＲＣメッセージを受信するユニットを管理する部分と、Ｉｕｂインターフェース５００から制御情報及びデータ情報を受信することを管理する部分と、を含む。また、このユニットは、ＮＢＡＰ及びＲＲＣメッセージを区分し、それぞれの部分に伝達する。信号送信器５２０は、ＮＢＡＰメッセージの送信を管理する部分と、ＲＲＣメッセージの送信を管理する部分と、他の制御情報及びデータ情報を送信する部分と、ＨＳ-ＤＰＡ関連データを送信する部分と、を含む。
【００３２】
ハンドオーバー期間の間に、ＵＥは、ＵＥの複雑性を増加させるだけ、多くの（セル当たりの４）ＨＳ-ＳＣＣＨをモニタリングする。その結果、ＵＥが候補／事前設定されたセルのうちの１つのＨＳ-ＳＣＣＨのみをモニタリングすることが明確となった。
【００３３】
ＵＴＲＡＮは、サービングセルだけでなく、アクティブセットの他のセルのためにも、追加的なリソースを割り当てなければならない。ＵＥは、新たなセルにスイッチングするまで、サービングＨＳ-ＤＳＣＨセルにＣＱＩ報告をする。例えば、ＵＥは、候補セルでＨＳ-ＳＣＣＨに対する指示が受信されるまで、サービングＨＳ-ＤＳＣＨセルにＣＱＩ報告をする。その結果、ターゲットセルは、初期に“ブラインド（blind）”送信を行わなければならない。これは、初期に新たなセルを介して送信される幾つかのパケットの損失を引き起こす。その代りに、上記ＣＱＩ報告は、このような問題を緩和する１つの方法である。また、候補セルのための報告を提供することも、このような問題点を克服することができる。
【００３４】
追加的なリソース割当てを減少させるための１つの方法は、全てのセルの品質がベストセルの品質に“近接（approaching）”するようにするために、事前設定を遂行するものである。例えば、追加的なリソース割当ては、ＨＳ-ＤＳＣＨサービングセル変更のための実質的な候補セルに対して遂行されることができる。ＵＴＲＡＮは、品質レベルを超過するセルを感知する度に、ＵＥが報告を送信するように設定する。代表的な遂行によれば、図５Ａに示すように、ＵＴＲＡＮは、レベルＡを超過する品質のセルを感知する際に、ＵＥが報告を送信するように設定する。このような品質レベルは、事前設定が可能であり、ベストセルのような現在のサービングＨＳ-ＤＳＣＨセルに関するものである。新たなセルの品質が品質レベルＡを超過するという報告を受信すると、ＵＴＲＡＮは、ＨＳ-ＤＳＣＨ設定を事前設定することにより、セルを候補セットに追加する。
【００３５】
上述したような手続きは、候補セットでセルの個数を制限することができるようにする。例えば、ＵＭＴＳで使用される候補セットがアクティブセットのセルのサブセットのみを含むことができる。図５Ａ及び図５Ｂは、ＵＥ及びＵＴＲＡＮの動作をそれぞれ示す。
【００３６】
図５Ａを参照すると、ＵＥは、旧サービングセルからデータを受信する（ステップ６０２）。ＵＥは、品質レベルＡを有する新たなセルを受信する（ステップ６０４）。その後、ＵＥは、ステップ６０６で、レベルＡの測定報告をする。ステップ６０８で、ＵＥは、新サービングセルのＨＳ-ＤＳＣＨ設定を受信する。ＵＥは、ステップ６１０で、ハンドオーバー判断のために新サービングセルのモニタリングを開始する。ステップ６１２で、ＵＥは、品質レベルＢを有する新たなセルを受信する。ＵＥは、レベルＢに対する測定報告をする（ステップ６１４）。新たなセルからデータが受信されると、ＵＥは、これを新サービングセルと見なす（ステップ６１６）。
【００３７】
図５Ｂは、本発明の代表的な実施形態を示す。ＵＴＲＡＮは、旧サービングセルを介してデータを送信する（ステップ７０２）。ＵＴＲＡＮは、レベルＡを超過する新たなセルの品質を示す報告を受信する（ステップ７０４）。ＵＴＲＡＮは、ステップ７０６で、新サービングセルのＨＳ-ＤＳＣＨ設定を送信する。ステップ７０８で、ＵＴＲＡＮは、新たなセルの品質がレベルＢを超過することを示す報告を受信する。ＵＴＲＡＮは、このセルを介してデータを送信することにより、新たなセルにスイッチングするようにＵＥに指示する（ステップ７１０）。
【００３８】
ＵＭＴＳにおいて、このような手続きは、ＨＳ-ＤＳＣＨサービングセルまたはＨＳ事前設定されたセルでないアクティブセットに属しているセルのための追加的な測定を設定することにより遂行される。アクティブセットのセルが候補サービングセルの条件を満足する際に、トリガーされる測定イベントのために特定のオプションが考慮される。すなわち、カレント（Current）‘１Ａ’及び‘１Ｂ’イベントの拡張と２つの新たな測定イベントの導入とが考慮される。
【００３９】
Ｃｕｒｒｅｎｔ‘１Ａ’及び‘１Ｂ’イベントの拡張を含む解決方法において、Ｃｕｒｒｅｎｔ１ａ及び１ｂイベントは、アクティブセットで、セルからＨＳＤＰＡ事前設定を追加するか、または削除するためにトリガーとして再使用される。
【００４０】
１番目の測定は、アクティブセットの管理のためのイベント１ａ、１ｂ、及び１ｃと、ＨＳ-ＤＳＣＨサービングセル再指示（re-pointing）をトリガーするためのイベント１ｄと、を含むように設定される。
【００４１】
また、２番目の測定は、ＨＳ候補セットの管理のためのイベント１ａ及び１ｂを含むように設定される。
【００４２】
好ましくは、システムパラメーターＷは、０に設定され、報告範囲パラメーターＲは、１番目の測定で使用されたＲより小さい値に設定される。
【００４３】
イベント１Ａのために、ＩＥ（Information Element）“トリガー条件（triggering condition）２”は、“ＨＳ候補セットのセル及びＨＳ-ＤＳＣＨサービングセルを除いたアクティブセットの全てのセル”に設定される。このために、現在のプロトコルが多少拡張されることができる。
【００４４】
イベント１Ｂのために、ＩＥ“トリガー条件２”は、“ＨＳ候補セットの全てのセル”に設定される。このために、現在のプロトコルが多少拡張されることができる。
【００４５】
イベント１Ａのために、ＩＥ“測定報告転送モード（Measurement report transfer mode）”は、‘ＡＭ（Acknowledge Mode）’に設定されることが好ましい。ＩＥ“報告量（Amount of reporting）”は、‘１’に設定され、ＩＥ“報告間隔（Reporting interval）”は、‘０’（非周期（no-periodic））に設定される。
【００４６】
ＩＥ“測定報告転送モード”のための‘ＡＭ’の使用は、ＨＳＤＰＡを支援しないセルを含む大部分のネットワークに適用される。ＵＥは、一般的に、ＨＳＤＰＡを支援するセルを認識しないので、ＨＳＤＰＡを支援しないセルのためのイベントをトリガーする。このようなセルは、ＨＳ候補セットに追加されないために、ＵＥは、ＩＥ“報告量”及びＩＥ“報告間隔”のために使用される上述された値を継続して報告する。
【００４７】
Ｃｕｒｒｅｎｔ‘１Ａ’及び‘１Ｂ’イベントを拡張する代わりに、イベント１Ａ及び１Ｂの拡張されたバージョンのために、上述したように、同一の特性を有する２種類の新たな測定イベントが提案されることもできる。このような接近の長所は、一般的なイベントには影響を及ぼさないということにある。
【００４８】
追加的なリソース割当てを減少させる他の方法は、予め定められるか、事前に割り当てられなければならないリソースのみに対して、一般的なリソース割当てでない修正されたバージョンに関連したリソース割当てをノードＢに指示するものである。上記リソースは、実際に、候補セルがサービングセルに転換されるときだけ使用される。ノードＢは、実際にハンドリングすることができるものよりさらに多くの指定要請を受諾するために、このような情報を使用する。例えば、ＨＳ候補セット管理は、実際に使用される‘指定された（reserved）’リソースのパーセント（percentage）に影響を与える。パラメーターは、無線リンク再設定手続きにおいて、このような可能性をノードＢに通知するために使用される。
【００４９】
このような手続きは、‘ノードＢ’の動作を示す図６Ｂに示されている。より詳細に、本発明の代表的な実施形態は、簡素で高速であり、何の追加的な制御信号を要求しない手続きを提供する。図６Ａ及び図６Ｂは、本発明の代表的な実施形態によるＵＥ及びノードＢの手続きを示す。
【００５０】
図６Ａを参照すると、ＵＥは、ＨＳ-ＤＳＣＨ候補としてのセルを準備せよとの要請を受信する（ステップ８０２）。ＵＥは、初期制御チャネル設定（initial control channel configuration）メッセージを用いて新たなセルのモニタリングを開始する（ステップ８０４）。ＵＥは、制御チャネルの指示を介してハンドオーバー命令を感知する（ステップ８０６）。ステップ８０８で、ＵＥは、制御チャネル設定完了（complete control channel configuration）メッセージを用いて新たなセルにスイッチングする。ＵＥは、ステップ８１０で、Ｌ２制御を介して認識される新たなセルを介してデータを受信する。
【００５１】
図６Ｂを参照すると、新ノードＢは、ＨＳ-ＤＳＣＨ候補としてセルを準備せよとの要請を受信する（ステップ９０２）。新ノードＢは、ＨＳ-ＤＳＣＨリソースを予め割り当てる（ステップ９０４）。ステップ９０６で、新ノードＢは、データを受信する。新ノードＢは、初期制御チャネル設定メッセージを用いてＵＥをスケジューリングする（ステップ９０８）。ステップ９１０で、新ノードＢは、ＵＥがＬ２制御を用いて新たなセルにスイッチングしたことを感知する。新ノードＢは、制御チャネル設定完了メッセージを用いてＵＥをスケジューリングする（ステップ９１２）。
【００５２】
上述したように、多くのセルのためのＨＳ-ＤＳＣＨ制御チャネルのモニタリングは、ＵＥの複雑性を増加させる。このような複雑性の増加は、候補セットのセルのための制限された初期制御チャネル設定メッセージを適用することにより克服されることができる。例えば、ＵＭＴＳにおいて、ＵＥがモニタリングしなければならないＨＳ-ＳＣＣＨの個数が１つに減少される。
【００５３】
本発明の代表的な実施形態は、初期制御チャネル設定と一般的な制御チャネル設定との間をスイッチングするための装置及び方法を提供する。上記制御チャネル設定は、ＵＥに転送されることができるデータの量に影響を及ぼす。したがって、データ転送率において連続性を保証するために、高速のスイッチング手続きを遂行することが好ましい。
【００５４】
ＵＥにより再指示が完了したことが確認されると、ノードＢは、初期制御チャネル設定からノーマル（normal）／制御チャネル設定完了にスイッチングしなければならない。そうでなければ、ＵＥは、制御情報または関連データを受信することができない。
【００５５】
本発明の代表的な実施形態によれば、ターゲットノードＢは、新たなセルで受信されたデータのためのＬ２制御情報に基づく一般的な動作にスイッチングする。ｘ ｄｉｆｆｅｒｅｎｔ ＨＡＲＱ送信動作のためにＡＣＫが受信される。代表的な実施形態によれば、“ｘ”は、２−４の範囲に属する。ＡＣＫが受信されると、ＡＣＫに対するＤＴＸのエラー率を考慮する際に、シングルＡＣＫは、高信頼性の指示とは見なし難い。ＡＣＫに対するＤＴＸのエラー率は、１０の２の順序に従う。
【００５６】
‘拡張されたＨＳＤＰＡ再指示手続き’のための追加的なリソース割当ては、ベストセルに近接したセルのための事前設定を遂行することにより減少される。より詳細には、追加的なリソース割当ては、アクティブセットの全てのセルよりは、実際のサービングセルへの転換のための候補となるセルのための事前設定を遂行することにより減少される。
【００５７】
提案された方法は、追加的な測定の構成を含む。しかしながら、一般的に、ＵＥが８イントラフリクエンシ（intra frequency）イベントまで支援するように要求されるので、これは、深刻な欠点と見なされない。
【００５８】
‘拡張されたＨＳＤＰＡ再指示手続き’のための追加的なリソース割当ては、‘指定された（reserved）’リソースのパーセントが実際に使用されるものと仮定すると、減少される。
【００５９】
提案された方法は、無線リンク再設定手続きに対するいくつかの変更を含む。変更回数がその手続きにより決定されるように要求されるので、これは、深刻な欠点と見なされない。
【００６０】
また、ノードＢが１つ（または、制限された数）のＨＳ-ＳＣＣＨを使用して初期制御チャネル設定からＨＳ-ＤＰＡ再指示に対する一般的な動作にスイッチングすることができるようにする簡素で速い手続きが提案される。
【００６１】
この手続きは、ある追加的な制御信号を必要としない。
【００６２】
上述した本発明の代表的な実施形態は、ＵＭＴＳのコンテキストについて説明された。しかしながら、本発明は、他の類似したシステムにも適用されることができる。
【００６３】
本発明は、コンピュータ可読記録媒体上でコンピュータ可読コードとして実現されることもできる。コンピュータ可読記録媒体は、コンピュータシステムにより読み出されることができるデータを記憶することができる任意のデータ記憶装置である。コンピュータ可読記録媒体の例としては、読出し専用メモリ(ＲＯＭ)、ランダムアクセスメモリ(ＲＡＭ)、ＣＤ−ＲＯＭ、磁気テープ、フロッピー（登録商標）ディスク、光学データ記憶装置、及び搬送波（有線又は無線送信経路上のインターネットを介したデータ送信のような）が含まれるが、これらに限定されるものではない。また、上記コンピュータ可読記録媒体は、コンピュータ可読コードが分配される方式で記憶されて実行されることができるように、ネットワーク結合型コンピュータシステムを介して分配されることができる。さらに、本発明を遂行するための関数プログラム、コード及びコードセグメントは、本発明が属する技術分野で熟練したプログラマーにより本発明の範囲内で容易に解析されることができるのであろう。
【００６４】
以上、本発明を具体的な実施形態を参照して詳細に説明してきたが、本発明の範囲及び精神を逸脱することなく様々な変形が可能であるということは、当該技術分野における通常の知識を持つ者には明らかであり、本発明の範囲は、上述の実施形態に限定されるべきではなく、特許請求の範囲の記載及びこれと均等なものの範囲内で定められるべきである。
【図面の簡単な説明】
【００６５】
【図１Ａ】１つ又はそれ以上のコアネットワーク（ＣＮ）を含むＵＭＴＳのためのセルラー無線システムの典型的なアーキテクチャを示す図である。
【図１Ｂ】１つ又はそれ以上のコアネットワーク（ＣＮ）を含むＵＭＴＳのためのセルラー無線システムの典型的なアーキテクチャを示す図である。
【図２】ノードＢの変更を含む一般的なＨＳ-ＤＳＣＨサービングセル変更手続きを示す図である。
【図３】ノードＢの変更を含む拡張されたＨＳ-ＤＳＣＨサービングセル変更手続きを示す図である。
【図４Ａ】ＵＥの機能と関連したＨＳ-ＤＰＡのアーキテクチャを示す図である。
【図４Ｂ】ノードＢの機能と関連したＨＳ-ＤＰＡのアーキテクチャを示す図である。
【図４Ｃ】ノードＢの機能と関連したＨＳ-ＤＰＡのアーキテクチャを示す図である。
【図５Ａ】本発明の代表的な実施形態によるＵＥの動作を示すフローチャートである。
【図５Ｂ】本発明の代表的な実施形態によるＵＴＲＡＮの動作を示すフローチャートである。
【図６Ａ】本発明の代表的な実施形態による新たなセルを介したＵＥのデータの受信のための手続きを示すフローチャートである。
【図６Ｂ】本発明の代表的な実施形態によるＨＳ-ＤＳＣＨリソースに対するノードＢの優先割当（pre-allocation）手順を示すフローチャートである。
【符号の説明】
【００６６】
３００  信号受信器
３１０  信号送信器
３２０  メモリ
【図１Ａ】
2009512267.tif 000003
【図１Ｂ】
2009512267.tif 000004
【図２】
2009512267.tif 000005
【図３】
2009512267.tif 000006
【図４Ａ】
2009512267.tif 000007
【図４Ｂ】
2009512267.tif 000008
【図４Ｃ】
2009512267.tif 000009
【図５Ａ】
2009512267.tif 000010
【図５Ｂ】
2009512267.tif 000011
【図６Ａ】
2009512267.tif 000012
【図６Ｂ】
2009512267.tif 000013
【国際調査報告】
2009512267.tif 000014
2009512267.tif 000015